(57)【特許請求の範囲】
【請求項１】
電気料金プランの選択を支援する選択支援システムであって、
選択された電気料金プランを仮料金プランとして受け付ける受付部（１０１ａ）と、
前記仮料金プランに基づいて電気機器を運転制御する機器制御部（１０１ｃ）と、
設定された試行期間において、実際に使用された電力量に対し前記仮料金プランを適用した場合の電気料金を仮電気料金として算出する算出部（１０１ｂ）と、
前記仮電気料金を表示部に表示させる表示制御部（１０１ｆ）と、
を備える選択支援システム。
【請求項２】
前記表示制御部は、前記表示部に複数の前記電気料金プランを表示させ、
前記受付部は、前記表示部に表示された複数の電気料金プランの内、選択されたものを前記仮料金プランとして受け付ける、請求項１に記載の選択支援システム。
【請求項３】
前記受付部は、前記試行期間の設定を受け付ける、請求項１又は２に記載の選択支援システム。
【請求項４】
前記算出部は、過去の電力使用量に基づいて、前記試行期間において前記仮料金プランを適用した場合の電気料金を参考電気料金として算出し、
前記表示制御部は、前記参考電気料金を前記表示部に表示させる、請求項１から３のいずれか１項に記載の選択支援システム。
【請求項５】
前記算出部は、過去の電力使用量に基づいて、前記試行期間において実際に課金適用される電気料金を実課金料金として算出し、
前記表示制御部は、前記参考電気料金と共に前記実課金料金を前記表示部に表示させる、請求項４に記載の選択支援システム。
【請求項６】
前記算出部は、前記試行期間において前記仮料金プランを適用した場合に、前記仮料金プランに含まれる仮契約電力を超過する電力超過期間を算出し、
前記表示制御部は、前記電力超過期間を前記表示部に表示させる、請求項１から５のいずれか１項に記載の選択支援システム。
【請求項７】
前記表示制御部は、前記試行期間において前記仮料金プランを適用した場合であって、
前記仮料金プランに含まれる仮契約電力を超過した場合に、その旨の通知を実行する、請求項１から５のいずれか１項に記載の選択支援システム。
【請求項８】
前記表示制御部は、前記仮電気料金と併せて前記仮料金プランを適用せず実際に契約中の実電気料金プランを適用した実電気料金を表示する、請求項１から７のいずれか１項に記載の選択支援システム。
【請求項９】
前記表示制御部は、前記仮電気料金と併せて前記仮料金プランを前記試行期間以外の期間に適用した場合の予測電気料金を表示する、請求項１から７のいずれか１項に記載の選択支援システム。
【発明の詳細な説明】
【技術分野】
【０００１】
本発明は、電気料金プランの選択を支援する選択支援システムに関する。
【背景技術】
【０００２】
電気料金プランの多様化に伴い、複数の電気料金プランから電力消費者にとって最適な電気料金プランを選定するシステムが提案されている。その一例として、下記特許文献１に記載の電気料金プラン選定システムは、一定期間における電力使用の推移である電力使用モデルを複数パターン記憶し、その一定期間よりも短期間である所定期間における実使用量を取得し、実使用量の推移と最も近い電力使用モデルに基づいた電力料金プランを選択するものである。
【先行技術文献】
【特許文献】
【０００３】
【特許文献１】特許第５７１７１１３号公報
【発明の概要】
【発明が解決しようとする課題】
【０００４】
上記従来の技術では、電気料金プランが変わったとしても、電力消費者の電力消費傾向が変わらなければ有効である。しかしながら、Ｈｏｍｅ  Ｅｎｅｒｇｙ  Ｍａｎａｇｅｍｅｎｔ  Ｓｙｓｔｅｍ（以下、ＨＥＭＳと記載する）の普及に伴い、電気料金プランに応じて、ＨＥＭＳが電気機器の運転を自動制御し、電力消費量を調整することができるようになってくる。
【０００５】
ＨＥＭＳは、設定された電気料金プランに応じて、エアコンといった空調装置の空調温度調整や照明装置の照度調整を行うことで、電力消費を抑えることもできる。電力消費者の現在の電力消費状況に基づいた選択では選ばれないような電気料金プランであっても、実際にＨＥＭＳの制御を体験してみれば受容可能なものである場合も想定される。ある電気料金プランに基づくＨＥＭＳの制御が受容可能であるか否かは、実際に体験してみなければ分からない場合も多く、単に文言のみで制限事項を通知されても判断しかねる場合も多い。また、電気機器が自律的に節電運転を行うこともあり、シミュレーションのみでは実際の電気料金がどのようになるかを知ることは困難である。
【０００６】
本発明はこのような課題に鑑みてなされたものであり、その目的は、電気料金プラン変更後の電気機器の制御を試行体験することで、電気料金プランの選択を支援する選択支援システムを提供することにある。
【課題を解決するための手段】
【０００７】
上記課題を解決するために、本発明に係る選択支援システムは、電気料金プランの選択を支援する選択支援システムであって、選択された電気料金プランを仮料金プランとして受け付ける受付部（１０１ａ）と、前記仮料金プランに基づいて電気機器を運転制御する機器制御部（１０１ｃ）と、設定された試行期間において、実際に使用された電力量に対し前記仮料金プランを適用した場合の電気料金を仮電気料金として算出する算出部（１０１ｂ）と、前記仮電気料金を表示部に表示させる表示制御部（１０１ｆ）と、を備える。
【０００８】
本発明によれば、仮料金プランを設定し、実際に使用された電力量に対して、設定した仮料金プランを適用した場合の電気料金を仮電気料金として算出且つ表示するので、単に料金プランを提案するだけでなく実際に電力消費者に使用してもらった感触を確かめてもらうことができる。従って、電気料金プラン変更後の電気機器の制御を試行体験することができ、より的確な電気料金プランの選択を支援することができる。
【発明の効果】
【０００９】
本発明によれば、電気料金プラン変更後の電気機器の制御を試行体験することで、電気料金プランの選択を支援する選択支援システムを提供することができる。
【図面の簡単な説明】
【００１０】
【図１】図１は、本発明の実施形態であるＨＥＭＳが適用される装置構成を示すブロック図である。
【図２】図２は、図１に示されるＨＥＭＳの機能的な構成を示すブロック図である。
【図３】図３は、図１及び図２に示されるＨＥＭＳによって提供されるサービスの流れを説明するためのフローチャードである。
【図４】図４は、図１に示される表示部に表示される画面の一例を示す図である。
【図５】図５は、図１に示される表示部に表示される画面の一例を示す図である。
【図６】図６は、図１に示される表示部に表示される画面の一例を示す図である。
【図７】図７は、図１及び図２に示されるＨＥＭＳの動作を説明するためのフローチャートである。
【図８】図８は、図１に示される表示部に表示される画面の一例を示す図である。
【図９】図９は、図１に示される表示部に表示される画面の一例を示す図である。
【図１０】図１０は、図１に示される表示部に表示される画面の一例を示す図である。
【図１１】図１１は、図１に示される表示部に表示される画面の一例を示す図である。
【図１２】図１２は、図１に示される表示部に表示される画面の一例を示す図である。
【図１３】図１３は、図１に示される表示部に表示される画面の一例を示す図である。
【図１４】図１４は、図１に示される表示部に表示される画面の一例を示す図である。
【図１５】図１５は、図１に示される表示部に表示される画面の一例を示す図である。
【図１６】図１６は、図１及び図２に示されるＨＥＭＳの動作を説明するためのフローチャートである。
【図１７】図１７は、図１に示される表示部に表示される画面の一例を示す図である。
【図１８】図１８は、図１に示される表示部に表示される画面の一例を示す図である。
【発明を実施するための形態】
【００１１】
以下、添付図面を参照しながら本発明の実施形態について説明する。説明の理解を容易にするため、各図面において同一の構成要素に対しては可能な限り同一の符号を付して、重複する説明は省略する。
【００１２】
図１に示されるように、本発明に係る選択支援システムの一実施形態であるＨＥＭＳ１０１は、電力消費者が使用する家屋１０に適用されるものである。家屋１０には、ＨＥＭＳ１０１と、表示部１０２と、空調装置１０３と、照明装置１０４と、ヒートポンプ給湯器１０５と、ＥＶ充電器１０６と、蓄電池１０７と、太陽光発電装置１０８と、スマートメータ１０９と、分電盤１１０と、を備えている。ＨＥＭＳ１０１は、センタ２０と相互に情報通信可能なように繋がっている。センタ２０は、電力供給会社に設定されるサーバ群によって構成されている。スマートメータ１０９は、商用電源３０に繋がっている。商用電源３０は、電力供給会社が供給する電源である。
【００１３】
ＨＥＭＳ１０１は、空調装置１０３と、照明装置１０４と、ヒートポンプ給湯器１０５と、ＥＶ充電器１０６と、蓄電池１０７と、を制御する制御システムとして構成されている。ＨＥＭＳ１０１は、センタ２０から受信した情報、予め記憶している情報、入力された情報といった種々の情報に基づいて、各装置への電力供給を制御するものである。
【００１４】
表示部１０２は、いわゆるタッチパネルを備える。表示部１０２は、ＨＥＭＳ１０１か出力される情報を表示すると共に、タッチパネルに入力された情報をＨＥＭＳ１０１に出力する。
【００１５】
空調装置１０３は、家屋１０の室内の温度や湿度を調整する装置である。空調装置１０３は、分電盤１１０を介して電力の供給を受ける。空調装置１０３は、自律的に節電運転を実行すると共に、ＨＥＭＳ１０１からの指示信号に基づいた節電運転も実行する。
【００１６】
照明装置１０４は、家屋１０の室内を照らすための装置である。照明装置１０４は、分電盤１１０を介して電力の供給を受ける。照明装置１０４は、自律的に節電運転を実行すると共に、ＨＥＭＳ１０１からの指示信号に基づいた節電運転も実行する。
【００１７】
ヒートポンプ給湯器１０５は、ヒートポンプ機構によって湯を沸かし家屋１０に供給する装置である。ヒートポンプ給湯器１０５は、分電盤１１０を介して電力の供給を受ける。ヒートポンプ給湯器１０５は、自律的に節電運転を実行すると共に、ＨＥＭＳ１０１からの指示信号に基づいた節電運転も実行する。
【００１８】
ＥＶ充電器１０６は、電気自動車といった蓄電池を備える自動車に電力を供給し、蓄電池を充電する装置である。ＥＶ充電器１０６は、分電盤１１０を介して電力の供給を受ける。ＥＶ充電器１０６は、自律的に節電運転を実行すると共に、ＨＥＭＳ１０１からの指示信号に基づいた節電運転も実行する。
【００１９】
蓄電池１０７は、家屋１０に供給するための電力を蓄える装置である。蓄電池１０７は、分電盤１１０を介して電力の供給を受ける。蓄電池１０７は、分電盤１１０を介して電力を供給することもできる。蓄電池１０７は、自律的に節電を考慮した蓄電を実行すると共に、ＨＥＭＳ１０１からの指示信号に基づいた蓄電も実行する。
【００２０】
太陽光発電装置１０８は、太陽光を受けることによって発電し、電力を家屋１０に供給するための装置である。太陽光発電装置１０８は、分電盤１１０を介して電力を供給することができる。
【００２１】
スマートメータ１０９は、商用電源３０から供給される電力を分電盤１１０に供給する。スマートメータ１０９は、商用電源３０経由で供給された電力が、家屋１０内にてどれだけ使用されたかを計測し、ＨＥＭＳ１０１に出力することができる。
【００２２】
分電盤１１０は、商用電源３０、太陽光発電装置１０８、及び蓄電池１０７のいずれかから供給される電力を、空調装置１０３、照明装置１０４、ヒートポンプ給湯器１０５、及びＥＶ充電器１０６に供給する。
【００２３】
続いて、ＨＥＭＳ１０１の機能的な構成要素について図２を参照しながら説明する。図２に示されるように、ＨＥＭＳ１０１は、受付部１０１ａと、算出部１０１ｂと、機器制御部１０１ｃと、目標受付部１０１ｄと、プラン提示部１０１ｅと、表示制御部１０１ｆと、情報格納部１０１ｇと、を備えている。尚、詳細に説明し図示することはないけれども、ＨＥＭＳ１０１は、ＣＰＵ、ＲＡＭやＲＯＭといったメモリ、通信のためのインターフェイスを備えており、一般的なＨＥＭＳとしての機能を有している。
【００２４】
受付部１０１ａは、選択された電気料金プランを仮料金プランとして受け付ける部分である。受付部１０１ａは、受け付けた仮料金プランを算出部１０１ｂに出力する。
【００２５】
算出部１０１ｂは、設定された試行期間において、実際に使用された電力量に対し仮料金プランを適用した場合の電気料金を仮電気料金として算出する部分である。算出部１０１ｂは、受付部１０１ａから出力された仮料金プランを機器制御部１０１ｃに出力する。算出部１０１ｂは、機器制御部１０１ｃからフィードバックされる電気機器の制御情報や、情報格納部１０１ｇに格納されている情報、スマートメータ１０９から供給される情報に基づいて、仮電気料金を算出する。算出部１０１ｂはまた、過去の電力使用量に基づいて、試行期間において実際に課金適用される電気料金を実課金料金として算出する。算出部１０１ｂが算出した仮電気料金及び実課金料金は、表示制御部１０１ｆに出力する。
【００２６】
機器制御部１０１ｃは、算出部１０１ｂから出力された仮料金プランに基づいて電気機器を運転制御する。機器制御部１０１ｃは、仮料金プランに最適化されるように、空調装置１０３と、照明装置１０４と、ヒートポンプ給湯器１０５と、ＥＶ充電器１０６と、蓄電池１０７と、を制御する。
【００２７】
目標受付部１０１ｄは、目標電気料金を受け付ける部分である。目標受付部１０１ｄは、受け付けた目標電気料金をプラン提示部１０１ｅに出力する。
【００２８】
プラン提示部１０１ｅは、目標電気料金を試行期間において達成するために最適な電気料金プランを提案料金プランとして提示する部分である。プラン提示部１０１ｅは、情報格納部１０１ｇに格納されている情報、スマートメータ１０９から供給される情報に基づいて、提案料金プランを決定する。プラン提示部１０１ｅは、提示するものとした提案料金プランを表示制御部１０１ｆに出力する。
【００２９】
表示制御部１０１ｆは、算出部１０１ｂから出力される仮電気料金及び実課金料金を表示部１０２に表示させる部分である。表示制御部１０１ｆは、プラン提示部１０１ｅから出力される提案料金プランを表示部１０２に表示させる部分でもある。
【００３０】
図３を参照しながら、本実施形態のＨＥＭＳ１０１を利用したサービス概要について説明する。ステップＳ１０１では、電力消費者が電気料金プランの変更検討を行う。例えば、表示部１０２に、図４及び図５に示されるような推奨電気料金プランが表示される。図４に示されるようなプランの提示に対しては、例えば、「Ａプラン  従量課金」の項目を選択し、「選択完了」を選択することでプランを選択することができる。図５に示されるようなプランの提示に対しては、例えば「５０Ｗ」を選択し、「選択完了」を選択することで契約電力を選択することができる。表示部１０２において選択された試行用の電気料金プランの情報は、このタイミングで受付部１０１ａに出力されてもよい。
【００３１】
ステップＳ１０１に続くステップＳ１０２では、ステップＳ１０１で選択された電気料金プランに基づいてＨＥＭＳ１０１が電気料金をシミュレーションする。このシミュレーションは、過去の電気使用実績等に基づいて行われる。このシミュレーション結果は、例えば図６に示されるように表示部１０２に表示される。
【００３２】
ステップＳ１０２に続くステップＳ１０３では、試行する電気料金プランを電力消費者が決定する。図６に示されるような例であれば、選択したプランによると電気料金が安くなると見込まれるので、「ＹＥＳ」を選択することで試行する電気料金プランが決定される。尚、試行期間中の電気料金課金は、試行する電気料金プランではなく、従前の電気料金プランが適用されるので、試行期間中の電気料金が高くなることを告知することが好ましい。例えば、夜間の割引率が高い電気料金プランを試行する際に、その電気料金プランにあわせて夜間の電気利用料が相対的に増えるようにライフスタイルを変えたとしても、実際に適用されるのは従前の電気料金プランであるため、実際に課金される電気料金が高くなる可能性がある。試行の際の電気料金低下はあくまでもシミュレーションとしてなので、実課金料金を表示することで、その点をユーザーに告知することが好ましい。決定された試行用の電気料金プランの情報は、受付部１０１ａに出力される。受付部１０１ａは受け取った電気料金プランの情報を、仮料金プランとして受け付けて算出部１０１ｂに出力する。尚、シミュレーションの結果、電気料金が安くならない見込みであれば、「選択された電気料金プランでは、電気料金が安くならない見込みです」といった表示をして、電力消費者に別の料金プランの選択を促すようにすることも好ましい。
【００３３】
ステップＳ１０３に続くステップＳ１０４では、電力消費者がＨＥＭＳ１０１を用いて電気料金プランを試行し、電気料金と生活の質を確認する。ＨＥＭＳ１０１の具体的な動作については、後述する。
【００３４】
ステップＳ１０４に続くステップＳ１０５では、電力消費者が試行結果に納得すれば電気料金プランを実際に変更することになる。
【００３５】
続いて、図７を参照しながら、ＨＥＭＳ１０１を用いた電気料金プランの試行方法について説明する。
【００３６】
ステップＳ２０１では、算出部１０１ｂが試行用の仮料金プランを取得する。算出部１０１ｂは、受付部１０１ａから出力された情報に基づいて、センタ２０から仮料金プランの詳細を受信する。
【００３７】
ステップＳ２０１に続くステップＳ２０２では、試行開始日及び試行終了日を決定する。具体的には、表示部１０２に図８に示されるような画面が表示され、電力消費者が「ＹＥＳ」を選択すると、図９に示されるような画面が表示される。図９に示されるような画面において、試行開始日及び試行終了日を電力消費者が入力し、「次へ」を選択すると、入力した情報が受付部１０１ａに送信される。受付部１０１ａは、受信した試行開始日及び試行終了日の情報を算出部１０１ｂに出力する。
【００３８】
ステップＳ２０２に続くステップＳ２０３では、算出部１０１ｂが試行開始日を経過したか否かを判断する。算出部１０１ｂは、試行開始日を経過していなければ、ステップＳ２０３の判断を継続する。算出部１０１ｂは、試行開始日を経過していればステップＳ２０４の処理に進む。
【００３９】
ステップＳ２０４では、算出部１０１ｂから機器制御部１０１ｃに仮料金プランの情報が出力される。機器制御部１０１ｃは、仮料金プランに基づいて、機器制御用の電気料金を試行用料金に変更する。
【００４０】
ステップＳ２０４に続くステップＳ２０５では、機器制御部１０１ｃが、仮料金プランに基づく電気機器制御を実行し、仮料金プランにおいて電気料金が最も安くなるように制御する。この場合において、例えば実際には契約電力が５０Ｗであるところ、仮料金プランでは４０Ｗ設定の場合に、使用電力が４０Ｗを超えた場合にはその旨の通知を実行する。この通知は、表示部１０２における表示でもよく、音声等による報知でもよい。
【００４１】
ステップＳ２０５に続くステップＳ２０６では、算出部１０１ｂが試行終了日を経過したか否かを判断する。算出部１０１ｂは、試行終了日を経過していなければ、機器制御部１０１ｃがステップＳ２０５の制御を継続できるように特段の料金更新を実行しない。算出部１０１ｂは、試行終了日を経過していればステップＳ２０７の処理に進む。
【００４２】
ステップＳ２０７では、算出部１０１ｂから機器制御部１０１ｃに、仮料金プランに代えて通常の料金プランを適用するように情報が出力される。機器制御部１０１ｃは、通常の料金プランに基づいて電気機器を制御する。
【００４３】
ステップＳ２０７に続くステップＳ２０８では、算出部１０１ｂが、試行期間中の電気料金に関する情報を演算し、契約電力オーバー回数等の情報と共に表示制御部１０１ｆに出力する。表示制御部１０１ｆはこれらの情報を表示部１０２に表示させる。
【００４４】
例えば、図１０に示されるような画面が表示部１０２に表示され、電力消費者が「ＹＥＳ」を選択すると、図１１に示されるような画面が表示される。電力消費者は、このように契約電力をオーバーした回数や、その日時を知ることで、それらのオーバーが回避可能なものか生活上不可避なものなのかの判断材料とすることができる。
【００４５】
図１２に示されるように、仮料金プランを適用した場合の電気料金を表示することもできる。電力消費者は、料金プランを変えた場合の電気料金の目安を知ることができるので、料金プラン変更の検討材料とすることができる。
【００４６】
図１３に示されるように、現在の電気料金プランと、検討中の仮料金プランを適用した場合の比較を表示することもできる。試行期間がどの週にあり、どのような料金だったかを明示することで、電力消費者の料金プラン選択の参考とすることができる。
【００４７】
図１４に示されるように、月ごとにどの仮料金プランで試行したかを表示することもできる。春はＡプラン、夏はＣプランといったように、季節ごとの特性に応じた料金プランの変更検討に用いることができる。
【００４８】
図１５に示されるように、ある月に試行を実行した場合に、その料金プランで通年通した場合にどうなるかを表示することもできる。図１５に示された例によれば、試行した５月では特段の問題が起きないけれども、８月には契約電力を超えてしまうことが判明するので、電力消費者の料金プラン選択の参考にすることができる。
【００４９】
上記したように本実施形態では、表示制御部１０１ｆは、図４に示されるように、表示部１０２に複数の電気料金プランを表示させ、受付部１０１ａは、表示部１０２に表示された複数の電気料金プランの内、選択されたものを仮料金プランとして受け付けることができる。複数の電気料金プランを表示させて、電力消費者に選択させることで、多くの仮料金プランを試行することができる。
【００５０】
上記したように本実施形態では、受付部１０１ａは、図９に示されるように、試行期間の設定を受け付けることができる。試行期間の設定を電力使用者が変えられることで、季節に応じた料金プランの試行が可能となる。
【００５１】
上記したように本実施形態では、算出部１０１ｂは、過去の電力使用量に基づいて、試行期間において仮料金プランを適用した場合の電気料金を参考電気料金として算出し、表示制御部１０１ｆは、図６に示されるように、参考電気料金を表示部１０２に表示させることができる。単にプランの表記のみではその優劣について電力使用者が判断し難いものの、参考データとして過去実績に基づく電気料金を表示することで試行する電気プランを選択する一助となる。
【００５２】
上記したように本実施形態では、算出部１０１ｂは、試行期間において仮料金プランを適用した場合に、仮料金プランに含まれる仮契約電力を超過する電力超過期間を算出し、表示制御部１０１ｆは、図１１に示されるように、電力超過期間を表示部１０２に表示させることができる。電力消費者は、電力超過期間を知ることで、それら超過が回避可能なものか生活上不可避なものなのかの判断材料とすることができる。
【００５３】
上記したように本実施形態では、表示制御部１０１ｆは、図１３及び図１４に示されるように、仮電気料金と併せて仮料金プランを適用せず実際に契約中の実電気料金プランを適用した実電気料金を表示することもできる。仮料金プランを適用する方が安くなるのか、実際に契約中の実電気料金プランを適用する方が安くなるのか、電力使用者に一目で分かるように情報提供することができる。
【００５４】
上記したように本実施形態では、表示制御部１０１ｆは、図１５に示されるように、仮電気料金と併せて仮料金プランを試行期間以外の期間に適用した場合の予測電気料金を表示することができる。電力使用量は季節によって変動するので、電力使用量が比較的少ない季節に試行期間を設定すると、電力使用量が比較的多い季節に不具合が生じる可能性がある。そこで、予測電気料金を表示することで、他の季節における電力使用量を推測することができ、電気プランを決定する参考材料とすることができる。
【００５５】
続いて、目標電気料金を設定してから試行する電気料金プランを設定する態様について、図１６を参照しながら説明する。
【００５６】
ステップＳ３０１では、電気料金の目標値を決定する。具体的には、図１７に示されるように、表示部１０２に目標とする電気料金を入力し、「次へ」を選択することで、その情報が目標受付部１０１ｄに送信される。目標受付部１０１ｄは、受信した目標電気料金をプラン提示部１０１ｅに出力する。
【００５７】
ステップＳ３０１に続くステップＳ３０２では、目標電気料金に対して、過去の使用状況から改善点を提案する。具体的には、プラン提示部１０１ｅは、情報格納部１０１ｇに蓄積されている過去の使用状況に基づいて、お勧めの電気料金プランと、その推奨する電気料金プランを選択した場合の節電行動を設定する。プラン提示部１０１ｅは、お勧めの電気料金プラン及び節電行動の情報を表示制御部１０１ｆに出力する。表示制御部１０１ｆは、図１８に示されるような情報を表示部１０２に表示させる。
【００５８】
ステップＳ３０２に続くステップＳ３０３では、電力消費者が例えば図１８の「ＹＥＳ」を選択することで試行する電気料金プランを決定する。
【００５９】
ステップＳ３０４及びステップＳ３０５は上記説明したステップＳ１０４及びステップＳ１０５と同様であるので説明を省略する。
【００６０】
このように本実施形態では、目標電気料金を受け付ける目標受付部１０１ｄと、目標電気料金を試行期間において達成するために最適な電気料金プランを提案料金プランとして提示するプラン提示部１０１ｅと、を備えており、表示制御部１０１ｆは、提案料金プランを表示部１０２に表示させることができる。目標電気料金の設定とそれを達成するための料金プランの提案というゲーム性をもたせることで、電力消費者の節電行動をより促進させることができる。
【００６１】
また本実施形態では、プラン提示部１０１ｅは、提案料金プランを試行期間において適用した場合に、目標電気料金を試行期間において達成するために必要となる節電行動を提示し、表示制御部１０１ｆは、節電行動を表示部１０２に表示させることができる。
【００６２】
以上、具体例を参照しつつ本発明の実施の形態について説明した。しかし、本発明はこれらの具体例に限定されるものではない。これら具体例に、当業者が適宜設計変更を加えたものも、本発明の特徴を備えている限り、本発明の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００６３】
１０１：ＨＥＭＳ
１０１ａ：受付部
１０１ｂ：算出部
１０１ｃ：機器制御部
１０１ｄ：目標受付部
１０１ｅ：プラン提示部
１０１ｆ：表示制御部
【図１】
0006631153.tif 000002
【図２】
0006631153.tif 000003
【図３】
0006631153.tif 000004
【図４】
0006631153.tif 000005
【図５】
0006631153.tif 000006
【図６】
0006631153.tif 000007
【図７】
0006631153.tif 000008
【図８】
0006631153.tif 000009
【図９】
0006631153.tif 000010
【図１０】
0006631153.tif 000011
【図１１】
0006631153.tif 000012
【図１２】
0006631153.tif 000013
【図１３】
0006631153.tif 000014
【図１４】
0006631153.tif 000015
【図１５】
0006631153.tif 000016
【図１６】
0006631153.tif 000017
【図１７】
0006631153.tif 000018
【図１８】
0006631153.tif 000019